(57)【要約】【課題】歩行の妨げならず、把持しやすく、そして、その存在を認知し易い把持部を有する靴を提供すること。【解決手段】アッパー本体部１２０に履き口部１４０と、足挿入用開口部１６０と、舌状当接部１５０と、固定用ベルト部１７０と、を備え、固定用ベルト部は、少なくとも、一方向に突出するように配置され、固定用ベルト部のアッパー本体部に面する固定用ベルト部内面には、ベルト面ファスナー１７３が配置され、アッパー本体部の外面には、ベルト面ファスナーと係合可能な、アッパー側面ファスナー１２１が配置され、ベルト面ファスナーとアッパー側面ファスナーの一方が、固定用ベルト部の長手方向において、他方より大きく形成され、固定用ベルト部の先端部には、爪先側に向かって突出し、ベルト面ファスナーが配置されていない把持部１７６が形成されている靴１００。【選択図】図３
2007090040.tif 000002
【特許請求の範囲】
【請求項１】
使用者の足の足裏側を配置するための靴底部と、
前記靴底部から立ち上がるように、且つ使用者の足を包むように形成されるアッパー本体部と、
使用者の足の踵を配置するための踵部とを、備える靴であって、
このアッパー本体部には、使用者の足を挿入するための履き口部と、
前記履き口部の一部を切り欠いて爪先側方向に向かって形成されている足挿入用開口部と、
前記足挿入用開口部に対応して配置される舌状当接部と、
前記舌状当接部と前記足挿入用開口部に対して配置される固定用ベルト部と、を備え、
前記固定用ベルト部は、前記舌状当接部から、少なくとも、一方向に向かって突出するように配置され、
前記固定用ベルト部の前記アッパー本体部に面する固定用ベルト部内面には、ベルト面ファスナーが配置され、
前記アッパー本体部の外面には、前記ベルト面ファスナーと係合可能な、アッパー側面ファスナーが配置され、
前記ベルト面ファスナーと前記アッパー側面ファスナーの一方が、前記固定用ベルト部の長手方向において、他方より大きく形成され、
前記固定用ベルト部の先端部には、爪先側に向かって突出し、前記ベルト面ファスナーが配置されていない把持部が形成されていることを特徴とする靴。
【請求項２】
使用者の足の足裏側を配置するための靴底部と、
前記靴底部から立ち上がるように、且つ使用者の足を包むように形成されるアッパー本体部と、
使用者の足の踵を配置するための踵部とを、備える靴であって、
このアッパー本体部には、使用者の足を挿入するための履き口部と、
前記履き口部の一部を切り欠いて爪先側方向に向かって形成されている足挿入用開口部と、
前記足挿入用開口部に対応して配置される舌状当接部と、
前記舌状当接部と前記足挿入用開口部に対して配置される固定用ベルト部と、を備え、
前記固定用ベルト部は、前記舌状当接部から、少なくとも、一方向に向かって突出するように配置され、
前記固定用ベルト部の前記アッパー本体部に面する固定用ベルト部内面には、ベルト面ファスナーが配置され、
前記アッパー本体部の外面には、前記ベルト面ファスナーと係合可能な、アッパー側面ファスナーが配置され、
前記固定用ベルト部における前記ベルト面ファスナーが、前記アッパー側面ファスナーよりも大きく形成され、
前記固定用ベルト部の先端部には、爪先側に向かって突出する把持部が形成されており、
前記ベルト面ファスナーが前記アッパー側面ファスナーと係合された際に、前記把持部の少なくとも一部が前記アッパー本体と非係合状態で配置されることを特徴とする靴。
【請求項３】
前記踵部には、その剛性を高めるためにカウンター部が設けられ、
前記固定用ベルト部の端部は、前記カウンター部に近接して配置され
少なくとも、前記固定用ベルト部の端部には、前記ベルト面ファスナーが配置され、
少なくとも、前記アッパー本体部の前記カウンター部近傍には、前記アッパー面ファスナーが配置されていることを特徴とする請求項１または請求項２に記載の靴。
【請求項４】
前記ベルト面ファスナー又は前記アッパー面ファスナーのいずれか一方に雄部材が形成され、他方に雌部材が形成され、
前記雄部材は、前記固定用ベルト部の長手方向に沿って配置される略Ｊ字状をなし、前記略Ｊ字状の湾曲部の先端部が、前記長手方向に平行または交差して配置されるように湾曲し、
前記雌部材はループ状となり、前記雌部材が前記雄部材の前記湾曲部に係合する構成となっていることを特徴とする請求項１乃至請求項３のいずれかに記載の靴。
【請求項５】
前記舌状当接部は、前記足挿入開口部の爪先側に固定され、
前記固定用ベルト部は、前記舌状当接部の両側である前記アッパー本体部の外足側と内足側にそれぞれ突出するように配置されていることを特徴とする請求項１乃至請求項４のいずれかに記載の靴。
【請求項６】
前記舌状当接部は、前記足挿入開口部の一方の側縁に沿って固定され、
前記固定用ベルト部は、前記舌状当接部の固定されていない他方の側縁から突出するよう配置されていることを特徴とする請求項１乃至請求項４のいずれかに記載の靴。
【請求項７】
前記把持部は、アッパー本体の内足側に突出した前記固定用ベルト部の先端部に形成されていることを特徴とする請求項１乃至請求項６のいずれかに記載の靴。
【発明の詳細な説明】
【技術分野】
【０００１】
本発明は、例えば幼児等が使用する靴に関するものである。
【背景技術】
【０００２】
歩行が未だ不慣れな幼児用の靴には、靴を着脱するためのベルトが備わっており、そのベルトには面ファスナーが形成されている。具体的には、靴のアッパーとベルトにそれぞれ雄部材又は雌部材の面ファスナーが形成され、これらが係合することでベルトがアッパーに固定される構成となっていた。
しかし、このような面ファスナーを手指の機能が充分ではない要介助者や幼児等が自分で解除することが難しいため、ベルトに把持部等を設け、幼児等がこの把持部を保持して操作することで、ベルトとアッパーの面ファスナーを解除させやすい構成としているものが提案されている（例えば、特許文献１乃至特許文献３）。
【特許文献１】実用新案登録第３０５３５８７号公報（図１等）
【特許文献２】特開２００４−０９７４９８号公報（図４等）
【特許文献３】特開２００４−１２１７３９号公報（図３等）
【発明の開示】
【発明が解決しようとする課題】
【０００３】
しかしながら、特許文献１等に示すような靴のベルトに設けられた把持部は、ベルトの延伸する方向であって、靴底部に向かって形成される。このように形成されると、以下のような問題があった。
例えば、幼児用の靴では、アッパーが小さいのに対し、ベルトが大きく形成されるので、ベルトに設けられた把持部が靴底部側に向かって突出するように配置されると、把持部が地面等に接触等し、歩行の妨げ等の危険を伴うという問題があった。
一方、歩行の妨げにならないように把持部を小さくすると、幼児等が把持部の存在を把握できないだけでなく、把持し難いという問題があった。
【０００４】
そこで、本発明は、歩行の妨げならず、把持しやすく、そして、その存在を認識し易い把持部を有する靴を提供することを目的とする。
【課題を解決するための手段】
【０００５】
前記課題は、請求項１の発明によれば、使用者の足の足裏側を配置するための靴底部と、前記靴底部から立ち上がるように、且つ使用者の足を包むように形成されるアッパー本体部と、使用者の足の踵を配置するための踵部とを、備える靴であって、このアッパー本体部には、使用者の足を挿入するための履き口部と、前記履き口部の一部を切り欠いて爪先側方向に向かって形成されている足挿入用開口部と、前記足挿入用開口部に対応して配置される舌状当接部と、前記舌状当接部と前記足挿入用開口部に対して配置される固定用ベルト部と、を備え、前記固定用ベルト部は、前記舌状当接部から、少なくとも、一方向に向かって突出するように配置され、前記固定用ベルト部の前記アッパー本体部に面する固定用ベルト部内面には、ベルト面ファスナーが配置され、前記アッパー本体部の外面には、前記ベルト面ファスナーと係合可能な、アッパー側面ファスナーが配置され、前記ベルト面ファスナーと前記アッパー側面ファスナーの一方が、前記固定用ベルト部の長手方向において、他方より大きく形成され、前記固定用ベルト部の先端部には、爪先側に向かって突出し、前記ベルト面ファスナーが配置されていない把持部が形成されていることを特徴とする靴により達成される。
【０００６】
前記構成によれば、固定用ベルト部の先端部には、爪先側に向かって突出するように把持部が形成されているので、把持部が固定ベルト部の靴底部側に突出することはない。したがって、使用者が靴を履いて歩行する際に、把持部が靴底部側である地面等に接触して、歩行の妨げになることがない。
また、把持部は固定用ベルト部の先端部側へ延長するように配置されていないので、使用者が把持部の存在を認知し易く、しかも、ベルト面ファスナーが配置されていないことで、ベルト面ファスナーの厚み分だけアッパー本体から浮いた状態とされており、把持し易い靴となっている。
また、ベルト面ファスナーとアッパー面ファスナーの一方が、固定用ベルト部の長手方向において、他方より大きく形成されているので、アッパー面ファスナーのベルト面ファスナーに対する係合位置を変化させることができ、これにより、使用者の足のサイズや形状等に応じた適切な固定位置に固定用ベルト部を調整することができる。
【０００７】
前記課題は、請求項２の発明によれば、使用者の足の足裏側を配置するための靴底部と、前記靴底部から立ち上がるように、且つ使用者の足を包むように形成されるアッパー本体部と、使用者の足の踵を配置するための踵部とを、備える靴であって、このアッパー本体部には、使用者の足を挿入するための履き口部と、前記履き口部の一部を切り欠いて爪先側方向に向かって形成されている足挿入用開口部と、前記足挿入用開口部に対応して配置される舌状当接部と、前記舌状当接部と前記足挿入用開口部に対して配置される固定用ベルト部と、を備え、前記固定用ベルト部は、前記舌状当接部から、少なくとも、一方向に向かって突出するように配置され、前記固定用ベルト部の前記アッパー本体部に面する固定用ベルト部内面には、ベルト面ファスナーが配置され、前記アッパー本体部の外面には、前記ベルト面ファスナーと係合可能な、アッパー側面ファスナーが配置され、前記固定用ベルト部における前記ベルト面ファスナーが、前記アッパー側面ファスナーよりも大きく形成され、前記固定用ベルト部の先端部には、爪先側に向かって突出する把持部が形成されており、前記ベルト面ファスナーが前記アッパー側面ファスナーと係合された際に、前記把持部の少なくとも一部が前記アッパー本体と非係合状態で配置されることを特徴とする靴により達成される。
【０００８】
前記構成によれば、固定用ベルト部におけるベルト面ファスナーが、アッパー側面ファスナーよりも大きく形成されているので、アッパー側面ファスナーとベルト面ファスナーの相対位置を正確に位置合わせすることなく、両者を係合し固定させることができる。
つまり、アッパー側面ファスナーとベルト面ファスナーの相対位置が多少ずれても、アッパー側面ファスナーは、より大きなベルト面ファスナー内に止まるので、確実にベルト面ファスナー係合される。
また、前記構成によれば、ベルト面ファスナーがアッパー側面ファスナーと係合された際に、把持部の少なくとも一部がアッパー本体と非係合状態で配置されるので、靴の使用者等が操作しやすい把持部となっている。
【０００９】
好ましくは、請求項３の発明によれば、請求項１または請求項２のいずれかの構成において、前記踵部には、その剛性を高めるためにカウンター部が設けられ、前記固定用ベルト部の端部は、前記カウンター部に近接して配置され、少なくとも、前記固定用ベルト部の端部には、前記ベルト面ファスナーが配置され、少なくとも、前記アッパー本体部の前記カウンター部近傍には、前記アッパー面ファスナーが配置されていることを特徴とする靴である。
【００１０】
前記構成によれば、固定用ベルト部の端部は、その剛性を高めるためのカウンター部に近接して配置され、少なくとも、固定用ベルト部の端部には、ベルト面ファスナーが配置され、少なくとも、アッパー本体部のカウンター部近傍には、アッパー面ファスナーが配置されている。
したがって、ベルト面ファスナーとアッパー面ファスナーとの係合は、剛性が高いカウンター部の近傍で行われるので、使用者の足をより確実に靴に保持した状態で、ホールドすることができる。
【００１１】
好ましくは、請求項４の発明によれば、請求項１乃至請求項３のいずれかの構成において、前記ベルト面ファスナー又は前記アッパー面ファスナーのいずれか一方に雄部材が形成され、他方に雌部材が形成され、前記雄部材は、前記固定用ベルト部の長手方向に沿って配置される略Ｊ字状をなし、前記略Ｊ字状の湾曲部の先端部が、前記長手方向に平行または交差して配置されるように湾曲し、前記雌部材はループ状となり、前記雌部材が前記雄部材の前記湾曲部に係合する構成となっていることを特徴とする靴である。
【００１２】
前記構成によれば、雄部材は、固定用ベルト部の長手方向に沿って配置される略Ｊ字状をなし、略Ｊ字状の湾曲部が、長手方向に平行または交差して湾曲し、雌部材はループ状となり、雌部材が雄部材の湾曲部に係合する構成となっている。
このため、ベルト面ファスナーとアッパー面ファスナーとが係合している状態では、使用者が固定用ベルト部を長手方向に沿って剥離させる際に、最も剥離されにくい状態となる。すなわち、逆にいえば、固定用ベルト部が長手方向に沿って最も強く固定される。このため、使用者の足をより確実に靴に固定し、ホールドすることができる。
一方、本構成では、把持部が固定用ベルト部における爪先側に向かって突出するように配置されているので、使用者が把持部を持って固定用ベルト部を外そうとすると、固定用ベルトを、固定用ベルトの長手方向に対して斜め方向に剥離させることになる。
すなわち、ベルト面ファスナーとアッパー面ファスナーを剥離し易い方向に固定用ベルト部を剥離させることになる。
このように、把持部は固定用ベルト部を外しやすい位置に配置されている。
【００１３】
好ましくは、請求項５の発明によれば、請求項１乃至請求項４のいずれかの構成において、前記舌状当接部は、前記足挿入開口部の爪先側に固定され、前記固定用ベルト部は、前記舌状当接部の両側である前記アッパー本体部の外足側と内足側にそれぞれ突出するように配置されていることを特徴とする靴である。
【００１４】
前記構成によれば、舌状当接部が足挿入開口部の爪先側に固定されているので、舌状当接部を拡げて爪先側に倒したときに、履き口部から足挿入開口部にかけての開口を大きくすることができる。このため、使用者が足を入れやすく、脱ぎやすいだけでなく、使用者の介助者等が使用者に靴を履かせやすく、脱がせ易い靴となる。
また、固定用ベルト部は、舌状当接部の両側であるアッパー本体部の外足側と内足側にそれぞれ突出するように配置されているので、使用者の足の形状や足のサイズの大小にかかわらず、常に足に対し適切な位置に固定用ベルト部を配置させ、適切に足を固定し、ホールドするよう調整することが可能となっている。
【００１５】
好ましくは、請求項６の発明によれば、請求項１乃至請求項４のいずれかの構成において、前記舌状当接部は、前記足挿入開口部の一方の側縁に沿って固定され、前記固定用ベルト部は、前記舌状当接部の固定されていない他方の側縁から突出するよう配置されている。
前記構成によれば、舌状当接部は一方の側縁が足挿入開口部に沿って固定されて、他方の側縁から固定用ベルト部が突出するよう形成されている。このため、１ヶ所のベルト部の操作だけで足挿入開口部の開閉を行うことができ、操作が未熟で２ヶ所のベルトをそれぞれ操作することが困難な幼児等であっても、適切な位置に配置する操作を行い易い。
【００１６】
好ましくは、請求項７の発明によれば、請求項１乃至請求項６のいずれかの構成において、前記把持部は、アッパー本体の内足側に突出した前記固定用ベルト部の先端部に形成されている。
前記構成によれば、把持部は、内足側に突出した固定用ベルト部に形成されている。このため、座った状態で把持部が認識し易く、しかも手を固定用ベルト部に運び易いため、幼児等の使用者にとって、固定用ベルト部の操作を行い易い。
【発明の効果】
【００１７】
本発明は、歩行の妨げならず、把持しやすく、そして、その存在を認知し易い把持部を有する靴を提供できるという利点がある。
【発明を実施するための最良の形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
（第１の実施の形態）
（第１の実施の形態に係る幼児用靴１００の全体構成の概略について。）
図１は、本発明の第１の実施の形態に係る幼児用靴１００を示す概略斜視図である。
図１に示すような幼児用靴１００は、例えば１才６ヶ月乃至２才６ヶ月程度の幼児のための靴である。この時期になると幼児も歩行が上手になり始め、自分で走ったりするだけに止まらず、自分自身で靴を履きたがる時期となっている。
【００２０】
図１に示すように、幼児用靴１００は、使用者である例えば、幼児の足の足裏を配置するための靴底部１１０を有している。また、幼児用靴１００は、靴底部１１０から立ち上がるように、且つ幼児の足を包むように形成されるアッパー本体部１２０や、幼児の足の踵を配置するための踵部１３０を有している。
また、幼児用靴１００のアッパー本体部１２０には、幼児の足を挿入するための履き口部１４０と舌状当接部１５０を有している。舌状当接部１５０については後述する。
【００２１】
図２は、図１の舌状当接部１５０を幼児用靴１００の爪先側に開いた状態を示す概略平面図である。
図２に示すように、幼児用靴１００には、履き口部１４０の一部を切り欠いて爪先側方向に向かって形成されている足挿入用開口部１６０が形成されている。
そして、舌状当接部１５０は、足挿入用開口部１６０の爪先側に固定されている。
したがって、図２に示すように、足挿入用開口部１６０を広げ、舌状当接部１５０を開状態にすれば、幼児用靴１００の履き口部１４０が十分に大きく開き、幼児が足を入れやすく、且つ脱がせやすい靴となる。また、幼児の介助者である保護者等にとっても幼児に靴を履かせやすく、脱がせやすい靴となる。
【００２２】
舌状当接部１５０は、図１及び図２に示すように足挿入用開口部１６０に対応し、足挿入用開口部１６０を覆うように配置されており、足挿入用開口部１６０の爪先側でアッパー本体部１２０に固定されている。
幼児用靴１００は、図１及び図２に示すように、舌状当接部１５０と足挿入用開口部１６０に対して配置される固定用ベルト部である例えば、ベルト部１７０を有している。ベルト部１７０に構成については、後述する。
幼児用靴１００には、少なくとも、踵部１３０には図１に示すように、その剛性を高めるためのカウンター部１３１が設けられている。
具体的には、図１の斜線部分がカウンター部１３１であり、踵部１３０の内部に形成されている。カウンター部１３１は、例えば、厚さ１．２ｍｍ程度のゴムや不織布等から構成されている。
【００２３】
（ベルト部１７０等について）
図１及び図２に示すように、ベルト部１７０は舌状当接部１５０に対して一体的に形成されている。また、ベルト部１７０は舌状当接部１５０の両側からそれぞれ突出するように配置されている。
具体的には、幼児用靴１００のアッパー本体部１２０の内足側である内足側ベルト部１７１と、アッパー本体部分１２０の外足側である外足側ベルト部１７２が配置されている。
なお、本実施の形態では、外足側及び内足側にベルト部１７０が形成されているが、これに限らず、外足側にのみベルト部１７０が配置されていてもよく、内足側にのみベルト部１７０が配置されていてもよい。
ところで、図２に示すように、内足側ベルト部１７１と外足側ベルト部１７２の内面側（アッパー本体部１２０に当接する側）には、ベルト面ファスナーである例えば、雌側面ファスナー１７３、１７３がそれぞれ形成されており（図２の斜線で示す部分）、これにより足挿入用開口部１６０を大きく露出することが可能となっている。
また、これら内足側ベルト部１７１と外足側ベルト部１７２の対応するアッパー本体部１２０には、雌側面ファスナー１７３と係合可能なアッパー側面ファスナーである例えば、雄側面ファスナー１２１が例えば、２カ所配置されている（図２の斜線で示す部分）。
そして、ベルト部１７０側に雌側面ファスナー１７３とアッパー本体部１２０側の雄側面ファスナー１２１が相互に係合することで、ベルト部１７０をアッパー本体部１２０に固定する構成となっている。
【００２４】
また、雌側面ファスナー１７３と雄側面ファスナー１２１の一方が、ベルト部１７０の長手方向において、他方より大きく形成されており、本実施の形態では図２に示すように、雌側面ファスナー１７３がベルト部１７０の長手方向において、アッパー本体部１２０の雄側面ファスナー１２１より大きく形成されている。
つまり、ベルト部１７０側の雌側面ファスナー１７３は、図２の斜線部分で示すように、ベルト部１７０の延びる方向に広範囲に配置されているため、足に合わせてアッパー本体部１２０の雄側面ファスナー１２１との係合位置を調整することで、アッパー本体部１３０に対するベルト部１７０の位置が変更可能な構成となっている。
具体的には、内足側ベルト部１７１の雌側面ファスナー１７３とアッパー本体部１２０の雄側面ファスナー１２１との係合位置を深くしたり、浅くしたりすることで、内足側ベルト部１７１とアッパー本体部１２０との相対位置が変更されることになる。  
また、外足側ベルト部１７２も同様にアッパー本体部１２０と雄側面ファスナー１２１との係合位置を深くしたり、浅くしたりすることができ、これら内足側ベルト部１７１と外足側ベルト部１７２は、足の形状の違いに応じてそれぞれ独立して別個にアッパー本体部１２０との位置を変更できる構成となっている。
【００２５】
このように、ベルト部１７０の着脱のみで舌状当接部１５０とアッパー本体部１２０との相対位置を調整することができるので、舌状当接部１５０の幼児の足に対する当接の強さの調整を容易にすることができる。
また、幼児用靴１００の内足側ベルト部１７１と外足側ベルト部１７２とを別個に独立して調整することで、幼児の足の形状や足のサイズの大小にかかわらず、常に足に対し適切な位置に、内足側ベルト部１７１等を配置するので、舌状当接部１５０で足を保持することが可能となる。
【００２６】
このように、本実施の形態では、ベルト部１７０とアッパー本体部１２０とは雌側面ファスナー１７３、雄側面ファスナー１２１で係合され、ベルト部１７０のアッパー本体部１２０に対する位置が変更可能な構成となっている。
したがって、足の固定及び開放は、雌側面ファスナー１７３、雄側面ファスナー１２１の着脱だけで可能なため、紐等によって固定する場合に比べ、極めて容易に操作することができる。
このように、容易にベルト部１７０のアッパー本体部１２０に対する位置を調整できるため、幼児の足のサイズや形状の違いに対応して、幼児用靴１００を歪めることなく、容易に幼児の足を幼児用靴１００によって保持させることができる。
【００２７】
ところで、図１及び図２に示すように、ベルト部１７０の外足側ベルト部１７２の先端側には外足側ベルト部１７２から爪先側に向かって突出するようにベルト把持部１７６が形成されている。本実施の形態ではベルト把持部１７６は、全体が円弧状の外形を成しており、実質的にベルト側面ファスナーである雌側面ファスナー１７３が配置されていないことで、アッパー本体部１２０から離間して浮いた状態とされている。
このため、幼児や幼児の保護者が外足側ベルト部１７２を操作する際に、ベルト把持部１７６を把持することで操作し易い構成となっている。つまり、指先等での操作が困難な幼児等の場合、対象物を手掌全体を使って保持する傾向があり、ベルト部１７０の下側であって、爪先側に向かって突出しており、若干浮いた位置に配置されているベルト把持部１７６をきっかけとして手掌全体でつかんで操作することができる。
また、ベルト把持部１７６は、外足側ベルト部の長手方向に向かって延長するように配置されていないので、ベルト把持部１７６が靴底部分１１０側に突出しない。このため、幼児が靴を履いて歩行する際に、把持部が靴底部側である地面等に接触等することがなく、ベルト把持部１７６が幼児の歩行を妨げることがない。
【００２８】
また、ベルト把持部１７６は、外足側ベルト部１７２の先端部から外足側ベルト部分１７２の長手方向に延長するように配置されておらず、爪先側に向かって突出して配置されている。
このため、幼児等がベルト把持部１７６の存在を認識し易く、ベルト把持部１７６を把持し易い幼児用靴１００となっている。なお、より認識し易いようにベルト把持部１７６の外面を異なる色や材質感としてもよい。
【００２９】
ところで、図１に示すように、外足側ベルト部１７２の端部は、踵部１３０に近接して配置されている。すなわち、この踵部１３０内のカウンター部１３１に近接して配置されている。また、内足側ベルト部１７１も同様である。
図３は、図１の外足側ベルト部１７２を雄側面ファスナー１２１から外した状態を示す概略側面図である。
図２に示すように、少なくとも、外足側ベルト部１７２及び内足側ベルト部１７１の端部には雌側面ファスナー１７３が配置されている。そして、図３に示すように、少なくとも、対応したアッパー本体部１２０のカウンター部１３１近傍には雄側面ファスナー１２１が配置されている。
したがって、外足側ベルト部１７２と内足側ベルト部１７１が踵部１３０のカウンター部１３１の近くに配置されるので、ベルト部１７０とアッパー部１２０で幼児の足を踵側に向かって確実に保持し、ホールドさせることができる。
【００３０】
一方、踵部１３０とベルト部１７０との間は、図１に示すように、直接固定されていないので、これらの間の剛性は、カウンター部１３１より低くなっている。
このように構成されることで、踵部１３０とベルト部１７０との間が幼児の歩行時の足の変形に応じて僅かに変形可能となり、幼児の歩行に際し、足が変形し易く、歩き易い幼児用靴１００となっている。
【００３１】
このように、カウンター部１３１が配置されることで、幼児用靴１００の踵部１３０の剛性が高められ、踵部１３０に幼児の足の踵が正確に固定され、ホールドされ易くなる。
すなわち、舌状当接部１６０とベルト部１７０が幼児の足を幼児用靴１００の踵部１３０方向へ固定するように作用すると、この剛性が高められたカウンター部１３１に向かって幼児の足の踵が幼児用靴１００の踵部１３０に押し付けられ、この方向に力がかかるため、より確実に足の踵が幼児用靴１００の踵部１３０に保持され、足のホールド性が著しく向上する。
また、カウンター部１３１の剛性が高いため、幼児用靴１００を装着する際に、踵部１３０が変形することが未然に防止されるので、幼児にとって靴の脱着が行いやすい構成となっている。
以上から、本実施の形態の幼児用靴１００は、幼児の足が幼児用靴１００の中でしっかり固定されると共に、必要に応じて屈曲も行い易いので、歩きやすい靴となる。
【００３２】
図３の雌側面ファスナー１７３には、Ｂの拡大図で示すように、比較的柔軟なループ状の雌部材１７３ａが多数形成されている。一方、図３の雄側面ファスナー１２１には、Ｃの拡大図で示すように剛性を有する略Ｕ字状とされた材料の一部を切断することで略Ｊ字状とされた雄部材１２１ａが多数形成されている。
この複数の雄部材１２１ａの略Ｊ字状の突出部は、雄側面ファスナー１２１が配置されている斜め下方向（踵部１３０に向かう方向）に沿って配置されている。そして、雄部材１２１ａの略Ｊ字状の湾曲部１２１ａａ（図３のＣ参照）の先端部が、雄側面ファスナー１２１の配置された方向に対して、例えば交差する方向に湾曲され配置されている。
そして、図３の雌側面ファスナー１７３と雄側面ファスナー１２１とが係合するときは、雌部材１７３ａのループ状の部材が雄部材１２１ａの湾曲部１２１ａａと係合することになる。
【００３３】
このように、雄部材１２１ａと雌部材１７３ａとが係合している場合は、幼児が外足側ベルト部１７２を雄側面ファスナー１２１の長手方向に沿って剥離させる際に、最も剥離されにくい状態となる。すなわち、逆にいえば、ベルト部１７０が長手方向に沿って最も強く固定される。このため、幼児の足をより確実に靴にホールドした状態を維持できる構成となっている。
また、本実施の形態では、図１に示すように、ベルト把持部１７６は、外足側ベルト部分１７２の端部から爪先側に向かって突出するように斜め下方向に向かって配置されているので、幼児が手掌全体でベルト把持部１７６を把持して、上方に引き上げるように外足側ベルト部１７２を外そうとすると、外足側ベルト部１７２は、図３の雄側面ファスナー１２１の長手方向に対して斜め方向に剥離させられる。
すなわち、上述の雄部材１２１ａと雌部材１７３ａが最も強く係合されている方向を避けて剥離するので、雌側面ファスナー１７３と雄側面ファスナー１２１とが剥離し易い方向となる。
このように、本実施の形態のベルト把持部１７６は、外足側ベルト部分１７３を幼児等が外しやすい位置に形成されている。
【００３４】
ところで、図２に示すようにベルト部１７０には、内足側ベルト部１７１と外足側ベルト部１７２を連結するように、伸縮部１７４が配置されている。この伸縮部１７４は、例えばゴム等から成っている。
【００３５】
本実施の形態では、伸縮部１７４が配置されているので、ベルト部１７０が、幼児の足を確実にホールドしている状態（例えば、図１の状態）であっても、幼児が自ら脱ぐ場合、足を履口部１４０から引き抜くよう力をかけることで伸縮部１７４が僅かに伸びて舌状当接部１５０が斜め上方側に移動して僅かに履口部１４０が拡がり、容易に幼児用靴１００を脱ぐことができる。
また、逆に、幼児が自ら幼児用靴１００を履く場合でも、ベルト部１７０をアッパー本体部１２０に対し緩め又は外さなくても、足を履口部１４０に挿入するよう力をかけることで伸縮部１７４が僅かに伸びて舌状当接部１５０が斜め上方側に移動して僅かに履口部１４０が拡がり、容易に幼児用靴１００を履くことができる。
なお、伸縮部１７４を形成せず、伸縮性を有さないベルト部１７０のみを使用する構成としても良い。この場合は、介助者が確実に履かせる前提で、舌状当接部１５０によって足甲を確実に保持する構成となる。
【００３６】
また、図１に示すように、幼児用靴１００の履口部１４０における踵部１３０の上部には、履き口部１４０から突出するように延伸されると共に、折り返して仮固定可能な踵側突片１３２が形成されている。
この踵側突片１３２とアッパー本体１２０における踵側外面にはそれぞれ図示しない面ファスナ等の係合手段が形成されている。
この踵側突片１３２は、図１に示すように、折り返されてアッパー本体部１２０外面に位置を調整して固定可能とされており、その先端をアッパー本体部１２０の外側における履口部１４０から離間した位置（踵部側）に向かって引くように仮固定すると、履き口部１４０の開口は外側に向かって変形し広がった状態となる。
このため、幼児が自ら幼児用靴１００を履いたり脱いだりする際に、履き易く、脱ぎ易い構成となっている。
また、この踵側突片１３２の先端を履口部１４０を変形させないような位置で仮固定し、アッパー本体部１２０の踵側突片１３２側が立ち上がった状態とすると、足の踵の上方の高い位置まで履口部１４０の踵側が当接し、より高い足のホールド性を発揮できることになる。また、幼児の保護者が、踵側突片１３２の仮固定を解除し、その先端を持つことで、幼児に靴を履かせたり脱がせたりし易くなるように構成されている。
【００３７】
（第２の実施の形態）
図４は、第２の実施の形態に係る幼児用靴２００を示す概略斜視図である。本実施の形態の幼児用靴２００の多くの構成は、第１の実施の形態の幼児用靴１００と同様であるため、同一符号等として説明を省略し、以下相違点を中心に説明する。
図４に示すように、幼児用靴２００には、アッパー本体部２２０，履き口部２４０等を有する点は、第１の実施の形態と同様である。しかし、舌状当接部２５０は足挿入用開口部２６０の内側に配置されており、別体とされたベルト部２７０を開閉する構成とされている。また、ベルト部２７０は幼児用靴２００のアッパー本体部２２０の内足側で着脱される構成となっている。  
すなわち、図４に示すように、ベルト部２７０の内足側端部の内面（アッパー本体部分２２０側）には、雌側面ファスナー２７３が形成されている。
一方、アッパー本体部２２０側には、雌側面ファスナー２７３に対応する雄側面ファスナー２２１が形成されている。
このため、これら雌側面ファスナー２７３と雄側面ファスナーを係合させることで、ベルト部分２７０をアッパー本体部２２０の内足側で固定することができる。
また、ベルト部２７０の端部には、ベルト把持部２７６が形成されているので、第１の実施の形態と同様に、ベルト把持部２７６を幼児等が把持し、持ち上げるように操作することで、雌側面ファスナー２７３と雄側面ファスナーとの係合を剥離させやすい構成となっている。
【００３８】
（第３の実施の形態）
図５は、本発明の第３の実施の形態にかかる幼児用靴３００における、舌状当接部３５０を開いた状態の概略斜視図である。
本実施の形態にかかる幼児用靴の多くの構成は、第１の実施の形態と同様であるため、同一部分は同一符号等として、その説明を省略し、以下相違点を中心に説明する。
幼児用靴３００は、履口部３６０から連接して延びる足挿入用開口部３６０の外足側に沿って、舌状当接部３５０がアッパー本体部３２０と一体に形成されており、自由端とされた内足側に向かって、舌状当接部３５０の側縁から一本のベルト部３７０が突出するよう延伸する構成とされている。
つまり、舌状当接部３５０が内足側から外足側に向かって開くよう構成されている。
【００３９】
幼児が自らベルト部３７０を操作する際、内足側と外足側の各ベルト部１７０を操作し、調整することが難しいため、第１の実施の形態においては、母親等の介助者が脱ぎ履きをさせる際に各ベルト部１７０を操作する構成とされていたが、本実施の形態においては、ベルト部３７０が１箇所に形成されているだけであり、しかも、内足側のみに形成されている。
ところで、発明者が複数の幼児を対象に、両側にベルトが配置された幼児用靴を履く際にベルト部を操作する状態を観察したところ、内側のベルト部だけを操作する幼児が数多く見られた。これは、幼児はベルト部を操作する場合、座った状態で操作を行うことが多く、自然と股関節が開いた状態になるため、内足側のベルト部を認知し易く、また、膝の内側から手を伸ばす場合、膝の外側と比較して距離が近く、視認しながら操作を行うことができるからである。
このため、本実施の形態では、内足側だけにベルト部３７０を配置し、外足側は調整できない片開き構造とすることで、外足側における係合位置がずれてしまうことがなく、幼児が自ら操作し易い幼児用靴３００としている。
しかも、ベルト部３７０から突出するよう配置したベルト保持部３７６によって、指先ではなく手掌全体で操作することが可能となり、幼児にとって外し易いベルト部３７０となっている。
【００４０】
また、本実施の形態においては、踵側突片３３２は形成されているものの、仮固定ではなく、履口部３４０の踵側を外方に沿った位置に拡がるよう固定した状態で、アッパー本体部３２０の踵側外面に固定しており、幼児が脱ぎ履きし易い構成だけとしている。
その他の幼児用靴３００の多くは、第１の実施の形態と同様の構成とされているため、脱ぎ履きのし易さや、足のホールド性は、第１の実施の形態と略同等とされている。
なお、舌状当接部３７０とアッパー本体部３２０を足挿入用開口部３６０の外足側に沿って一体に形成するのではなく、第１の実施の形態と同様に舌状当接部３７０を形成し、第１の実施の形態の足挿入用開口部１６０の外足側に縫合して形成してもよい。
【００４１】
（第４の実施の形態）
図６は、本発明の第４の実施の形態に係る幼児用靴４００を示す概略斜視図である。本実施の形態にかかる幼児用靴４００の多くの構成は、上述の実施の形態と共通するため、同一の構成については説明を省略し、以下、相違点を中心に説明する。
本実施の形態の幼児用靴４００は、図５に示された幼児用靴３００とほぼ同じ構成とされており、図６に示すように、舌状当接部と固定用ベルト部が一体となっているベルト一体型舌状当接部４９０を有している。
図７は、図６のベルト一体型舌状当接部４９０を開いた状態を示す概略斜視図である。
図７に示すように、ベルト一体型舌状当接部４９０の固定用ベルト部に相当する部分のうち、アッパー本体部４２０に面する内面には、ベルト面ファスナーである例えば、雌側面ファスナー４７３が形成されている。
一方、アッパー本体部４２０の外面には、雌側面ファスナー４７３と係合可能なアッパー側面ファスナーである例えば、雄側面ファスナー４２１が形成されている。
したがって雌側面ファスナー４７３を雄側面ファスナー４２１に当接させることで、ベルト一体型舌状当接部４９０をアッパー本体部４２０に固定することができる構成となっている。
【００４２】
また、図７に示すように、雌側面ファスナー４７３の面積は、雄側面ファスナー４２１の面積より大きく形成されている。ここでは、各面ファスナー４２１，４７３の長手方向は略同等の長さとされているが、幅方向において、ベルト一体型舌状当接部４９０側の雌側面ファスナー４７３が雄側面ファスナー４２１より僅かに大きく形成されてもよい。さらに、後述するベルト把持部４７６の領域分も図７より大きく形成されてもよい。また、各面ファスナー４２１，４７３の長手方向の長さも雌側面ファスナー４７３が雄側面ファスナー４２１より大きくなるように構成してもよい。
したがって、使用者が雌側面ファスナー４７３を雄側面ファスナー４２１に対して当接する際、両者の相対位置が多少ずれても雄側面ファスナー４２１は、より大きな雌側面ファスナー４７３内に止まるので、両者を確実に係合させることができる構成となっている。つまり、幼児のように手指の操作が未熟な使用者であっても、両者の相対位置を正確に位置合わせすることなく、容易に両者を係合し固定させることができる構成となっている。
【００４３】
また、図７に示すように、ベルト一体型舌状当接部４９０の固定用ベルト部に相当する部分の先端部には、爪先側に向かって突出して形成される把持部である例えば、ベルト把持部４７６が形成されている。
このベルト把持部４７６の内面にも図７に示すように、雌側面ファスナー４７３が形成させている（図７のハッチングが交差している部分）。
【００４４】
図８は、図６のベルト把持部４７６とアッパー本体４２０等との位置関係を示す概略説明図である。
図８に示すように、雌側面ファスナー４７３と雄側面ファスナー４２１とが係合された状態では、ベルト把持部４７６の少なくとも一部が雄側面ファスナー４２１と非係合状態でアッパー本体部４２０の表面から僅かに浮いた状態となっている。
したがって、使用者が幼児用靴４００を着脱するために、ベルト把持部４７６を保持して、ベルト一体型舌状当接部４９０を開閉するとき、ベルト把持部４７６を掴むきっかけとなり、結果的に保持し易い構成となっている。このため、使用者が操作しやすい幼児用靴４００となっている。
【００４５】
ところで、上述のように、雌側面ファスナー４２１等は、幼児用靴４００の内足側（内甲側）にのみ形成され、外足側（外甲側）には形成されていない構成となっている。
つまり、ベルト一体型舌状当接部４９０の外足側は、アッパー本体部４２０と一体に形成され、アッパー本体部４２０に対して固定されている。
【００４６】
このように、ベルト一体型舌状当接部４９０の内足側のみを着脱可能にし、ベルト一体型舌状当接部４９０を内足側から外足側に向かって開くように構成することで以下のような利点がある。
幼児等が靴を着脱する様子を観察した発明者は、幼児が靴の外足側より内足側を見て靴を着脱する事実を発見した。つまり、靴を着脱するとき、幼児は股を開いて操作するため靴の内足側を見ることになる。
しかも、着脱する際に使用する手は、足と同じ側の手（例えば、右足の場合は右手）を使用する傾向がある。このような習性のある幼児に対して靴の外足側に舌状当接部等の着脱用の面ファスナーが配置されている幼児用靴を与え、幼児がベルトの面ファスナーを操作しようとすると、足と手が交差してしまう。また、ベルトを開く動作は、身体の外側から内側に向かって、力を入れながら手首を移動させる動き（回内操作）を強いることになる。
一般的に、幼児は、このような回内操作をし難く、敢えて、かかる動きを強いても、力が入れ難い状態となってしまう。
このため、このような習性のある幼児に対して靴の外足側に舌状当接部等の着脱用の面ファスナーを配置すると、幼児は、その状態で面ファスナーを操作するのではなく、面ファスナーのある側を、自分が見やすい内側になるようにして、靴を履くことが多い。
すると、幼児が靴を左右反対に履くことになる。幼児が靴を左右反対に履くことは、以前よりよく見られたが、その原因は、このような習性も一因であることがわかった。
そこで、本実施の形態では、図６及び図７に示すように、ベルト一体型舌状当接部４９０の雄側面ファスナー４２１を幼児用靴４００の内足側のみに配置することで、幼児が幼児用靴４００を視認しながら履きやすい構成としている。
また、このように配置することで、幼児が幼児用靴４００を左右反対に履くことを未然に防止できることになる。
【００４７】
本発明は、上述の各実施の形態に限定されない。例えば、履口部１７０だけでなく舌状当接部１５０の履口部側にもクッション部を設け、足首をクッション部で囲繞するよう構成してもよい。なお、上述の各実施の形態は、相互に組み合わせて構成するようにしてもよい。
【図面の簡単な説明】
【００４８】
【図１】本発明の第１の実施の形態に係る幼児用靴を示す概略斜視図である。
【図２】図１の舌状当接部を幼児用靴の爪先側に開いた状態を示す概略平面図である。
【図３】図１の外足側ベルト部を雄側面ファスナーから外した状態を示す概略側面図である。
【図４】第２の実施の形態に係る幼児用靴を示す概略斜視図である。
【図５】本発明の第３の実施の形態にかかる幼児用靴を示す概略斜視図である。
【図６】本発明の第４の実施の形態に係る幼児用靴を示す概略斜視図である。
【図７】図６のベルト一体型舌状当接部を開いた状態を示す概略斜視図である。
【図８】図６のベルト把持部とアッパー本体等との位置関係を示す概略説明図である。
【符号の説明】
【００４９】
１００・・・幼児用靴、１１０・・・靴底部、１１０ａ・・・靴底層、１１０ｂ・・・外側クッション部、１１０ｃ・・・内側クッション部、１２０・・・アッパー本体部、１２１・・・雄側面ファスナー、１２１ａ・・・雄部材、１２１ａａ・・・湾曲部、１３０・・・踵部、１３１・・・カウンター部、１３２・・・踵側突片、１４０・・・履き口部、１５４・・・伸縮ガイド部、１６０・・・足挿入用開口部、１７０・・・ベルト部、１７１・・・内足側ベルト部、１７２・・・外足側ベルト部、１７３・・・雌側面ファスナー、１７４・・・伸縮部、１７６・・・ベルト把持部
【図１】
2007090040.tif 000003
【図２】
2007090040.tif 000004
【図３】
2007090040.tif 000005
【図４】
2007090040.tif 000006
【図５】
2007090040.tif 000007
【図６】
2007090040.tif 000008
【図７】
2007090040.tif 000009
【図８】
2007090040.tif 000010